(57)【特許請求の範囲】
【請求項１】
静電容量式タッチパネルを備えた携帯情報端末を出し入れする開け口が設けられた袋状のポーチで，前記開け口から入れられた前記携帯情報端末の静電容量式タッチパネルを保護する生地に，導電性糸を用いて，天地方向に延びる複数の線状ステッチをそれぞれが平行になるように縫い付け，音声通話の着信に対応するボタンが表示される箇所については前記線状ステッチの密度を高くしたことを特徴とする携帯情報端末用ポーチ。
【発明の詳細な説明】
【技術分野】
【０００１】
本発明は，スマートフォンに代表される携帯情報端末を収納するポーチに関する発明である。
【背景技術】
【０００２】
携帯情報端末の一つであるスマートフォンが普及したことを受けて，スマートフォン対応手袋を雑誌の付録に付ける場合がある。スマートフォン対応手袋とは，特許文献１で開示されている発明のように，静電容量式タッチパネルを操作する指の指先に該当する部分に導電性を持たせ，手袋を着用しながらスマートフォンの静電容量式タッチパネルを操作できるように開発された手袋である。
【０００３】
スマートフォン対応手袋は，実用性が高く人気のある商品ではあるが，人により手のサイズが異なるため，スマートフォン対応手袋の代わりに，スマートフォンを保護するスマートフォン用ポーチを雑誌の付録に付けることも考えられる。
【０００４】
スマートフォン用ポーチを雑誌の付録に付ける場合，市販のスマートフォン用ポーチとの差別化を図ることが必要で，市販のスマートフォン用ポーチとの差別化として，スマートフォン対応手袋のように，スマートフォン用ポーチにスマートフォンを収納した状態で静電容量式タッチパネルを操作できるようにすることが考えられる。
【０００５】
スマートフォン用ポーチに収納した状態では，静電容量式タッチパネルの画面を見ることができないため，スマートフォン用ポーチに収納した状態で静電容量式タッチパネルを操作できるようにするメリットが無いと思われるかもしれない。しかし，音声通話の着信に対する応答には，静電容量式タッチパネルで所定の操作（例えば，タッチ）を行うことが必要で，スマートフォン用ポーチからスマートフォンを取り出すのに時間がかかると，この操作が行えずに音声通話の着信が切れてしまう場合がある。
【先行技術文献】
【特許文献】
【０００６】
【特許文献１】特開２００８−８１８９６号公報
【発明の概要】
【発明が解決しようとする課題】
【０００７】
そこで，本発明は，静電容量式タッチパネルを備えた携帯情報端末をポーチに収納した状態で，携帯情報端末の静電容量式タッチパネルを操作して音声通話の着信に応答できる携帯情報端末用ポーチを提供することを課題とする。
【課題を解決するための手段】
【０００８】
上述した課題を解決する第１の発明は，静電容量式タッチパネルを備えた携帯情報端末を出し入れする開け口が設けられた袋状のポーチで，前記開け口から入れられた前記携帯情報端末の静電容量式タッチパネルを保護する生地に，導電性糸を用いて，天地方向に延びる複数の線状ステッチをそれぞれが平行になるように縫い付け，音声通話の着信に対応するボタンが表示される箇所については前記線状ステッチの密度を高くしたことを特徴とする。
【発明の効果】
【００１１】
携帯情報端末の静電容量式タッチパネルを保護する生地に導電性糸を縫い付けることで，静電容量式タッチパネルを保護する生地は導電性を持つため，携帯情報端末用ポーチの上からでも静電容量式タッチパネルを反応させて音声通話の着信に応答できる。
【図面の簡単な説明】
【００１２】
【図１】携帯情報端末用ポーチを説明する図。
【図２】携帯情報端末用ポーチの効果を説明する図。
【図３】携帯情報端末用ポーチの変形例を説明する図。
【発明を実施するための形態】
【００１３】
ここから，本発明の好適な実施形態を記載する。なお，以下の記載は本発明の範囲を束縛するものでなく，理解を助けるために記述するものである。
【００１４】
図１は，本実施形態に係る携帯情報端末用ポーチ１を説明する図である。本実施形態に係る携帯情報端末用ポーチ１は，静電容量式タッチパネル２０を備えた携帯情報端末としてスマートフォン２を出し入れする開け口１ａが設けられた袋状のポーチで，開け口１ａから入れられたスマートフォン２の静電容量式タッチパネル２０を保護する生地に導電性糸１０を縫い付けている。
【００１５】
携帯情報端末用ポーチ１の生地には，布（綿、化繊、混紡）や衝撃吸収する機能を有する発泡樹脂などが一般的に利用される。静電容量式タッチパネル２０は，指が触れた時に発生する静電容量の変化から指が触れた箇所を検知するが，これらの生地は不導電体であるため，生地の状態では，携帯情報端末用ポーチ１の上から静電容量式タッチパネル２０を反応させることができない。
【００１６】
そこで，本実施形態の携帯情報端末用ポーチ１では，静電容量式タッチパネル２０を保護する生地に導電性糸１０を縫い付けることで，静電容量式タッチパネル２０を保護する生地に導電性を持たせ，携帯情報端末用ポーチ１の上からでも静電容量式タッチパネル２０を反応させることができるようにしている。なお，導電性糸１０を縫い付ける面は，携帯情報端末用ポーチ１の片面のみでもよいが，携帯情報端末用ポーチ１の両面にすることが好適である。携帯情報端末用ポーチ１の両面に導電性糸１０を縫い付ければ，携帯情報端末用ポーチ１にスマートフォン２を入れる際，スマートフォン２の表裏を気にする必要はなくなる。
【００１７】
導電性糸１０とは、導電性を有する糸である。ＰＥＤＯＴ／ＰＳＳやカーボンインキ等の導電性のある液体を塗布又は含侵させた糸，又は，炭素繊維で形成された糸を導電性糸１０として用いることができる。格子状に編み込んだ状態で導電性糸１０を縫い付けてもよいが，本実施形態では，導電性糸１０を用いて，天地方向に延びる複数（数本ないし数十本）の線状ステッチ１０ａをそれぞれが平行になるように携帯情報端末用ポーチ１の生地に縫い付けている。上述したように導電性糸１０を縫い付けることで，指が触れた時に発生する静電容量の変化は，指が触れた位置を中心にして天地方向に広がるため，静電容量式タッチパネル２０が反応するエリアを天地方向に広げることができる。
【００１８】
音声通話の着信に応答するためには，音声通話の着信があった時に静電容量式タッチパネル２０に表示されるボタンを操作することが必要になる。ここから，音声通話の着信に応答する操作を説明しながら，本実施形態の携帯情報端末用ポーチ１の効果について説明する。
【００１９】
図２は，本実施形態の携帯情報端末用ポーチ１の効果を説明する図で，図２（ａ）は，タッチ操作により音声通話の着信に応答するケースを説明する図，図２（ｂ）は，スライド操作により音声通話の着信に応答するケースを説明する図である。
【００２０】
タッチ操作により音声通話の着信に応答するケースでは，図２（ａ）に図示したように，スマートフォン２に音声通話の着信があると，音声通話の着信に応答する応答ボタン２０ａと音声通話の着信を拒否する拒否ボタン２０ｂがスマートフォン２の静電容量式タッチパネル２０に少なくとも表示される。なお，図２（ａ）では，これらのボタンに加え，音声通話の発信元を表す画像２０ｃを，スマートフォン２の静電容量式タッチパネル２０内に図示している。
【００２１】
音声通話の着信に応答するには，スマートフォン２の静電容量式タッチパネル２０に表示された応答ボタン２０ａをタッチすることが必要になる。本実施形態では，静電容量式タッチパネル２０を保護する面に導電性糸１０を縫い付けているため，応答ボタン２０ａが表示されている箇所を携帯情報端末用ポーチ１の上から指でタッチすれば，タッチした箇所の静電容量式タッチパネル２０が反応し，静電容量式タッチパネル２０に表示されている応答ボタン２０ａをタッチできる。
【００２２】
また，本実施形態では，導電性糸１０により，天地方向に延びる線状ステッチ１０ａを縫い付けることで，指が触れたと静電容量式タッチパネル２０が検知するエリアを天地方向に広げているため，例えば，図２の実線で示したエリアをタッチすることで，静電容量式タッチパネル２０に表示されている応答ボタン２０ａを携帯情報端末用ポーチ１の上からタッチできる。なお，拒否ボタン２０ｂについても，応答ボタン２０ａと同様に携帯情報端末用ポーチ１の上からタッチできる。
【００２３】
スライド操作により音声通話の着信に応答するケースでは，図２（ｂ）に図示したように，スマートフォン２に音声通話の着信があると，音声通話の着信に応答する応答ボタン２０ｅと音声通話の着信を拒否する拒否ボタン２０ｆがスマートフォン２の静電容量式タッチパネル２０に少なくとも表示される。なお，図２（ｂ）では，これらのボタンに加え，音声通話の発信元を表す画像２０ｃを，スマートフォン２の静電容量式タッチパネル２０内に図示している。
【００２４】
音声通話の着信に応答するには，スマートフォン２の静電容量式タッチパネル２０に表示された応答ボタン２０ｅを右方向にスライドさせることが必要になる。本実施形態では，静電容量式タッチパネル２０を保護する面に導電性糸１０を縫い付けているため，応答ボタン２０ｅが表示されている箇所を携帯情報端末用ポーチ１の上から指で右方向にスライドすれば，スライドした箇所の静電容量式タッチパネル２０が反応し，静電容量式タッチパネル２０に表示されている応答ボタン２０ｅをスライドできる。なお，拒否ボタン２０ｆについても，応答ボタンと同様に携帯情報端末用ポーチ１の上からタッチできる。
【００２５】
このように，本実施形態に係る携帯情報端末用ポーチ１によれば，携帯情報端末用ポーチ１にスマートフォン２を入れたままの状態で，音声通話の着信に応答または拒絶できるが，音声通話の発信元を表す画像２０ｃを見ることはできない。しかし，スマートフォン２などに備えられ，発信元に応じて着信音を変更する機能を利用すれば，音声通話の発信元を表す画像２０ｃを見ることなく，特定の発信元のみ音声通話の着信に応答できる。
【００２６】
本実施形態に係る携帯情報端末用ポーチ１の変形例について説明する。図３は，携帯情報端末用ポーチ１の変形例を説明する図である。図３で図示した携帯情報端末用ポーチ３は，図１で図示した携帯情報端末用ポーチ１と同様に，導電性糸３０を用いて，天地方向に延びる複数の線状ステッチ３０ａを，それぞれが平行になるように縫い付けている。加えて，図３で図示した携帯情報端末用ポーチ３では，図３で図示したようなステッチパターンを形成し、応答ボタン２０ａおよび拒否ボタン２０ｂの近傍に線状ステッチ３０ａを集め，これらのボタンに接触する線状ステッチ３０ａの密度を高くしている。応答ボタン２０ａおよび拒否ボタン２０ｂの近傍おける線状ステッチ３０ａの密度を高くすれば，密度を高くしない場合と比較して，静電容量式タッチパネル２０が反応するエリアを拡大できる。
【符号の説明】
【００２７】
１，３  携帯情報端末用ポーチ
１ａ    開け口
１０，３０  導電性糸
１０ａ，３０ａ  線状ステッチ
２      スマートフォン
２０    静電容量式タッチパネル
【図１】
0006641959.tif 000002
【図２】
0006641959.tif 000003
【図３】
0006641959.tif 000004